(57)【要約】【課題】目的コンテンツを効率よく探し出すことができる通信端末を提供することである。【解決手段】  実施形態の通信端末は、登録手段と、通信手段と、再生手段とを備える。前記登録手段は、キーワードを登録する。前記通信手段は、コンテンツ処理装置へ前記キーワードを送信し、前記キーワードに対応するコンテンツを前記コンテンツ処理装置から受信する。前記再生手段は、前記コンテンツを再生する。【選択図】図１
2014017599.tif 000002
【特許請求の範囲】
【請求項１】
キーワードを登録する登録手段と、
コンテンツ処理装置へ前記キーワードを送信し、前記キーワードに対応するコンテンツを前記コンテンツ処理装置から受信する通信手段と、
前記コンテンツを再生する再生手段と、
を備えた通信端末。
【請求項２】
前記通信手段は、前記キーワードを含むメタ情報が対応付けられた前記コンテンツを前記コンテンツ処理装置から受信する請求項１の通信端末。
【請求項３】
前記通信手段は、前記キーワードを含むタグ情報が対応付けられた前記コンテンツを前記コンテンツ処理装置から受信する請求項１又は２の通信端末。
【請求項４】
前記通信手段は、前記コンテンツを構成するストリームのうちの、前記タグ情報に対応する一部ストリームを受信し、
前記再生手段は、前記一部ストリームを再生する請求項３の通信端末。
【請求項５】
前記通信手段は、ネットワークに接続し、前記ネットワークに接続された前記コンテンツ処理装置を検出した場合に、前記コンテンツ処理装置へ前記キーワードを送信する請求項１乃至４の何れか１つの通信端末。
【請求項６】
キーワードに対応するコンテンツを検索する処理手段と、
通信端末から前記キーワードを受信し、前記通信端末に対して前記コンテンツを送信する通信手段と、
を備えたコンテンツ処理装置。
【請求項７】
前記処理手段は、前記キーワードを含むメタ情報が対応付けられた前記コンテンツを検索する請求項６のコンテンツ処理装置。
【請求項８】
前記処理手段は、前記キーワードを含むタグ情報が対応付けられた前記コンテンツを検索する請求項６又は７のコンテンツ処理装置。
【請求項９】
前記処理手段は、前記コンテンツを構成するストリームのうちの、前記タグ情報に対応する一部ストリームを検索し、
前記通信手段は、前記一部ストリームを送信する請求項８のコンテンツ処理装置。
【請求項１０】
前記通信手段は、複数コンテンツの複数タグ情報を管理するサーバと通信し、複数タグ情報を受信し、
前記処理手段は、複数タグ情報の中から、前記キーワードを含む前記タグ情報を検索し、前記タグ情報に対応する一部ストリームを検索する請求項９のコンテンツ処理装置。
【請求項１１】
前記処理手段は、前記コンテンツを持出用に変換し、
前記通信手段は、変換された持出用コンテンツを送信する請求項６乃至８の何れか１つのコンテンツ処理装置。
【請求項１２】
複数コンテンツを記録する記録手段を備え、
前記処理手段は、記録された複数コンテンツの中から、前記キーワードに対応する前記コンテンツを検索する請求項６乃至８の何れか１つのコンテンツ処理装置。
【請求項１３】
キーワードを登録する手順と、
コンテンツ処理装置へ前記キーワードを送信し、前記キーワードに対応するコンテンツを前記コンテンツ処理装置から受信する手順と、
前記コンテンツを再生する手順と、
をコンピュータに実行させるためのコンテンツ処理プログラム。
【請求項１４】
キーワードを登録し、
コンテンツ処理装置へ前記キーワードを送信し、前記キーワードに対応するコンテンツを前記コンテンツ処理装置から受信し、
前記コンテンツを再生するコンテンツ処理方法。
【発明の詳細な説明】
【技術分野】
【０００１】
本発明の実施形態は、通信端末、コンテンツ処理装置、コンテンツ処理プログラム、及びコンテンツ処理方法に関する。
【背景技術】
【０００２】
デジタル放送により提供されるコンテンツを記録するデジタルレコーダが広く普及している。近年、デジタルレコーダの記憶容量又はデジタルレコーダに接続される記憶装置の記憶容量は非常に大きくなり、多くのコンテンツを蓄積することが可能となっている。例えば、複数チャンネルの放送を数十時間にわたり連続して記録するデジタルレコーダも登場している。
【先行技術文献】
【特許文献】
【０００３】
【特許文献１】特開２００７−２５１２８０号公報
【発明の概要】
【発明が解決しようとする課題】
【０００４】
上記の通り、多くのコンテンツを記録し蓄積することが可能なデジタルレコーダの登場により、ユーザは、多くのコンテンツの中から、自分の好みのコンテンツを視聴することができる。その一方で、ユーザは、多くのコンテンツの中から、自分の好みのコンテンツを検索するための作業が必要となる。複数の記録コンテンツの中から、目的のコンテンツを検索する技術は種々提案されているが、さらなる作業負担の軽減技術が望まれている。
【０００５】
本発明の目的は、目的コンテンツを効率よく探し出すことができる通信端末、コンテンツ処理装置、コンテンツ処理プログラム、及びコンテンツ処理方法を提供することである。
【課題を解決するための手段】
【０００６】
実施形態の通信端末は、登録手段と、通信手段と、再生手段とを備える。前記登録手段は、キーワードを登録する。前記通信手段は、コンテンツ処理装置へ前記キーワードを送信し、前記キーワードに対応するコンテンツを前記コンテンツ処理装置から受信する。前記再生手段は、前記コンテンツを再生する。
【図面の簡単な説明】
【０００７】
【図１】実施形態に係るコンテンツ処理システムの概略構成の一例を示す図である。
【図２】実施形態に係るコンテンツ検索シーケンスの一例を示す図である。
【図３】実施形態に係るコンテンツ持出シーケンスの一例を示す図である。
【図４】実施形態に係るコンテンツの一部の持出、再生の一例を示す図である。
【図５】実施形態に係るタグ情報を利用したコンテンツ検索の一例を示す図である。
【発明を実施するための形態】
【０００８】
図１は、実施形態に係るコンテンツ処理システムの概略構成の一例を示す図である。図１に示すように、コンテンツ処理システムは、通信端末１、コンテンツ処理装置２、タグリストサーバ３等により構成される。
【０００９】
通信端末１は、キーワードの入力を受け取ったり、各種データ中からキーワードを検出したり、これらキーワードを登録（記憶）したりすることができる。例えば、Twitter又はFaceBook等で気になった１以上のキーワード、或いはサイトの検索に使用した１以上のキーワードを登録することができる。コンテンツ処理装置２は、通信端末１から送信される１以上のキーワードを受信し、コンテンツ処理装置２により管理される１以上のコンテンツから、受信した１以上のキーワードに対応する１以上のコンテンツを検索し、検索した１以上のコンテンツ又は検索した１以上のコンテンツの一部を通信端末１へ送信する。これにより、通信端末１は、１以上のキーワードに対応する１以上のコンテンツ又は１以上のコンテンツの一部を受信し、受信した１以上のコンテンツ又は１以上のコンテンツの一部を再生することができる。例えば、コンテンツ処理装置２は、通信端末１へ、コンテンツのストリーム又はコンテンツの一部ストリームを送信し、通信端末１は、コンテンツ又はコンテンツの一部をストリーミング再生することができる。
【００１０】
例えば、コンテンツ処理装置２により管理されるコンテンツはメタ情報（コンテンツＩＤ、タイトル、出演者情報、解説等）を有する。通信端末１が、全キーワードを含むコンテンツ検索（ＡＮＤ検索）を指定すると、コンテンツ処理装置２は、受信した全てのキーワードを含むメタ情報を有する１以上のコンテンツを検索する。これにより、通信端末１は、全キーワードを含むメタ情報を有する１以上のコンテンツ又は１以上のコンテンツの一部を受信し、受信した１以上のコンテンツ又は１以上のコンテンツの一部を再生することができる。また、通信端末１が、全キーワードのうちの少なくとも１つを含むコンテンツ検索（ＯＲ検索）を指定すると、コンテンツ処理装置２は、受信した全てのキーワードのうちの少なくとも１つを含むメタ情報を有する１以上のコンテンツを検索する。これにより、通信端末１は、少なくとも１つのキーワードを含むメタ情報を有する１以上のコンテンツ又は１以上のコンテンツの一部を受信し、受信した１以上のコンテンツ又は１以上のコンテンツの一部を再生することができる。
【００１１】
また、コンテンツ処理装置２により管理されるコンテンツには、タグ情報が対応付けられることもある。通信端末１が、全キーワードを含むコンテンツ検索（ＡＮＤ検索）を指定すると、コンテンツ処理装置２は、受信した全てのキーワードを含むタグ情報が対応付けられた１以上のコンテンツを検索する。これにより、通信端末１は、全キーワードを含むタグ情報が対応付けられた１以上のコンテンツ又は全キーワードを含むタグ情報が対応付けられた１以上の一部コンテンツを受信し、受信した１以上のコンテンツ又は１以上の一部コンテンツを再生することができる。また、通信端末１が、全キーワードのうちの少なくとも１つを含むコンテンツ検索（ＯＲ検索）を指定すると、コンテンツ処理装置２は、受信した全てのキーワードのうちの少なくとも１つを含むタグ情報が対応付けられた１以上のコンテンツを検索する。これにより、通信端末１は、少なくとも１つのキーワードを含むタグ情報が対応付けられた１以上のコンテンツ又は全てのキーワードのうちの少なくとも１つを含むタグ情報が対応付けられた１以上の一部コンテンツを受信し、受信した１以上のコンテンツ又は１以上の一部コンテンツを再生することができる。
【００１２】
ここでタグ情報について補足する。例えば、図５に示すように、複数のコンテンツ処理装置２ａ、２ｂ、２ｃを想定する。コンテンツ処理装置２ａ、２ｂ、２ｃは、コンテンツの編集情報（例えばタグリスト）をタグリストサーバ３へ送信する。
【００１３】
例えば、コンテンツ蓄積装置２ａのユーザは、コンテンツ蓄積装置２ａを介して、コンテンツ蓄積装置２ａにより蓄積されたコンテンツＡ（例えば１時間番組）の気に入った所定シーン（例えば先頭から３０分の位置）に頭出し点を設定することができ、ユーザによる頭出し点の設定操作に対応して、コンテンツ蓄積装置２ａは、頭出し点に対応するタグ情報を含むタグリストａを作成する。例えば、タグリストａは、コンテンツＡのＩＤを含み、タグ情報は、位置情報（コンテンツＡの先頭から３０分の位置情報）を含み、さらにタグ情報は、ユーザにより作成されるコメント等を含むこともできる。コンテンツ蓄積装置２ａのユーザは、コンテンツ蓄積装置２ａを介して、タグリストａに含まれたタグ情報を指定することができ、このタグ情報の指定に対応して、コンテンツ蓄積装置２ａは、指定されたタグ情報に基づき、コンテンツＡを所定シーンの先頭から再生し、さらにタグ情報がコメントを含む場合には、このコメントも再生（表示）する。また、コンテンツ蓄積装置２ａは、コンテンツＡのタグリストａを、タグリストサーバ３へ送信する。
【００１４】
また、例えば、コンテンツ蓄積装置２ｂのユーザは、コンテンツ蓄積装置２ｂを介して、コンテンツ蓄積装置２ｂにより蓄積されたコンテンツＡの気に入った第１のシーン（例えば先頭から１５分の位置）に第１の頭出し点を設定し、コンテンツＡの気に入った第２のシーン（例えば先頭から４５分の位置）に第２の頭出し点を設定することができ、ユーザによる第１及び第２の頭出し点の設定操作に対応して、コンテンツ蓄積装置２ｂは、第１及び第２の頭出し点に対応する第１及び第２のタグ情報を含むタグリストｂを作成する。例えば、タグリストｂは、コンテンツＡのＩＤを含み、第１のタグ情報は、第１の位置情報（コンテンツＡの先頭から１５分の位置情報）、さらに第１のタグ情報は、第１のコメント等を含むこともでき、第２のタグ情報は、第２の位置情報（コンテンツＡの先頭から４５分の位置情報）、さらに第２のタグ情報は、第２のコメント等を含むこともできる。コンテンツ蓄積装置２ｂのユーザは、コンテンツ蓄積装置２ｂを介して、タグリストｂに含まれた第１のタグ情報を指定することができ、この第１のタグ情報の指定に対応して、コンテンツ蓄積装置２ｂは、指定された第１のタグ情報に基づき、コンテンツＡを第１のシーンの先頭から再生し、さらに第１のタグ情報がコメントを含む場合には、このコメントも再生（表示）する。同様に、コンテンツ蓄積装置２ｂのユーザは、コンテンツ蓄積装置２ｂを介して、タグリストｂに含まれた第２のタグ情報を指定することもでき、この第２のタグ情報の指定に対応して、コンテンツ蓄積装置２ｂは、指定された第２のタグ情報に基づき、コンテンツＡを第２のシーンの先頭から再生し、さらに第２のタグ情報がコメントを含む場合には、このコメントも再生（表示）する。また、コンテンツ蓄積装置２ｂは、コンテンツＡのタグリストｂを、タグリストサーバ３へ送信する。
【００１５】
このようにして、タグリストサーバ３は、複数のコンテンツ蓄積装置２ａ、２ｂ、２ｃから送信される複数のタグリストを集めて管理する。
【００１６】
例えば、コンテンツ処理装置２は、タグリストサーバ３により管理された複数のタグリストのうちのタグリストａを利用し、コンテンツ処理装置２が管理しているコンテンツＡに、タグリストａを対応付けることができる。或いは、コンテンツ処理装置２は、タグリストサーバ３により管理された複数のタグリストのうちのタグリストｂを利用し、コンテンツ処理装置２が管理しているコンテンツＡに、タグリストｂを対応付けることができる。これにより、コンテンツ処理装置２のユーザは、コンテンツ処理装置２ａのユーザが生成したタグリストａを利用し、コンテンツＡを再生することもできるし（コンテンツＡの所定シーンの先頭から再生することもできるし）、このタグリストａに含まれたタグ情報中のコメントを見ることもできる。或いは、コンテンツ処理装置２のユーザは、コンテンツ処理装置２ｂのユーザが生成したタグリストｂを利用し、コンテンツＡを再生することもできるし（コンテンツＡの第１のシーンの先頭から、又は第２のシーンの先頭から再生することもできるし）、このタグリストｂに含まれた第１及び第２のタグ情報中のコメントを見ることもできる。
【００１７】
本実施形態では、上記したように、コンテンツ処理装置２は、通信端末１から送信されるキーワードを受信し、受信したキーワードを含むタグ情報が対応付けられたコンテンツを検索し、通信端末１へ、検索したコンテンツを送信する。或いは、コンテンツ処理装置２は、受信したキーワードを含むタグ情報が対応付けられたシーン（一部コンテンツ）を検索し、通信端末１へ、検索したシーン（一部コンテンツ）を送信する。これにより、通信端末１は、キーワードを含むタグ情報が対応付けられたコンテンツ又はシーンを再生することができる。ユーザは、キーワードに対応するタグ情報中のコメントを見たり、キーワードに対応するコンテンツ又はシーンを視聴したりすることができる。
【００１８】
図１に示す通信端末１は、例えば、携帯電話、スマートフォン、タブレットＰＣ、又はスレート端末である。通信端末１の概略構成は図５に示す通りであり、通信端末１は、制御部１１、記憶部１２、通信部１３、表示部１４、入力部１５、情報処理部１６を備える。
【００１９】
制御部１１は、各部の動作を制御し、実質的に、後述するキーワード送信、コンテンツ取得、コンテンツ再生等の各種処理を実行する。記憶部１２は、後述するキーワードを記憶したり、通信相手機器の情報を記憶したりする。通信部１３は、例えば、無線通信によりルータを介してホームネットワーク等に接続し、同じホームネットワークに接続したコンテンツ処理装置２と通信したり、また、ルータを介して外部ネットワーク等に接続し、外部ネットワークを介して、外部サーバと通信したりする。例えば、通信部１３は、ルータ３を介して、コンテンツ処理装置２に対してキーワードを送信し、コンテンツ処理装置２からのコンテンツを受信する。さらに、通信部１３は、ルータを介して外部サーバから提供されるコンテンツ処理アプリケーションを受信することもできる。表示部１４は、キーワード入力画面を表示したり、キーワードリスト画面を表示したりする。また、表示部１４に対応付けられた入力部（タッチパネル）１５は、ユーザからの入力キーワードを受け取る。情報処理部１６は、例えば、上記したキーワード入力画面、及びキーワードリスト画面等を生成する。
【００２０】
図１に示すコンテンツ処理装置２は、デジタルレコーダ又はデジタルＴＶである。本実施形態では、コンテンツ処理装置２が、デジタルレコーダである場合について説明する。コンテンツ処理装置２は、タイムシフトマシン記録部２１、コンテンツ管理部２２、キーワードリスト受信解析部２３、コンテンツ検索エンジン２４、タグリスト収集解析管理部２５、持出変換部２６、持出転送部２７を備える。
【００２１】
タイムシフトマシン記録部２１は、例えばチューナーを含み、デジタル放送（コンテンツ）を受信し、受信コンテンツを記録する。タイムシフトマシン記録部２１が、内部の記憶部を備え、この内部の記憶部に受信コンテンツを記録する、或いは、タイムシフトマシン記録部２１は、外部の記憶部に受信コンテンツを記録する。コンテンツ管理部２２は、内部及び外部の記憶部に記録されたコンテンツを管理する。
【００２２】
キーワードリスト受信解析部２３、タグリスト収集解析管理部２５、及び持出転送部２７は、通信部を含む。例えば、通信部は、ルータを介して、ホームネットワークに接続し、このホームネットワークに接続している通信端末１と接続することができる。また、通信部は、ルータを介して、外部ネットワークに接続し、外部ネットワークを介して、外部サーバと接続することもできる。これにより、コンテンツ処理装置２は、ホームネットワークを介して、通信端末１と通信することもできるし、外部ネットワークを介して、外部サーバと通信することもできるし、さらに、外部ネットワークを介して、外出先等に持ち出された通信端末１と通信することもできる。
【００２３】
以下、実施形態に係るコンテンツ処理（検索処理及び再生処理）について説明する。
【００２４】
例えば、ユーザの自宅のコンテンツ処理装置２は、複数チャンネルで複数日間にわたり提供された全コンテンツを記録する機能が実行されているとする。この機能は、ユーザがあたかも過去に遡って番組を視聴することができるので、タイムシフトマシン機能と呼ばれる。また、コンテンツ処理装置２は、記録コンテンツを持出用コンテンツに変換し、出力することもできる。例えば、ユーザは、通信端末１を使って、持出用コンテンツを再生することもできる。つまり、外出先等で、ちょっとした空き時間(公共交通機関での移動中など)に、通信端末１を使って、持出用コンテンツを再生することができる。
【００２５】
また、ユーザが、外出先等で、通信端末１を使って、TwitterやFaceBook等で多数のユーザとの情報共有をする中で、気になるキーワードや番組を見つけることがある。ユーザは、帰宅後に、コンテンツ処理装置２のタイムシフトマシン機能を使って、外出先で気になったキーワードに該当するコンテンツを探して、再生することができる。
【００２６】
本実施形態では、上記ケースにおいて、効率よく目的のコンテンツ（気になったキーワードに対応するコンテンツ）を検索することができ、効率よく目的のシーンを視聴することができる。つまり、本実施形態のコンテンツ処理装置２は、ユーザが気になったキーワードに対応するコンテンツ又は一部コンテンツを自動的に探し出して、通信端末１に自動的に転送することができる。これにより、ユーザは、自宅だけでなく外出先でも、空き時間に気になるコンテンツをチェックすることができる。
【００２７】
（手順１）初期設定
通信端末１の記憶部１２は、コンテンツ処理装置２のMACアドレス（機器固有情報）を登録し、コンテンツ処理装置２の記憶部２２は、通信端末１のMACアドレス（機器固有情報）を登録し、通信端末１とコンテンツ処理装置２とが相互に対応付けられる。
【００２８】
（手順２）外出先でキーワード登録
通信端末１の記憶部１２は、キーワード登録アプリケーションを記憶し、制御部１１は、キーワード登録アプリケーションを起動し、キーワード登録アプリケーションは、指定されたキーワードを記憶部１２へ登録する。例えば、ユーザが、通信端末１を使って、TwitterやFaceBook上で、キーワードを指定すると、キーワード登録アプリケーションは、指定されたキーワードを記憶部１２へ登録する。
【００２９】
（手順３−１）外出先から帰宅（同一ネットワークに両機器が認識）
通信端末１の通信部１３が、ルータを介してホームネットワークに接続すると、同じホームネットワークに接続したコンテンツ処理装置２は、通信端末１を検出する。例えば、通信端末１用のクレードルに、通信端末１をセットすると、通信端末１の通信部１３が、ルータを介してホームネットワークに接続する。コンテンツ処理装置２が、通信端末１を登録していれば、コンテンツ処理装置２のキーワードリスト受信解析部２３は、通信端末１に対して、自動的にキーワードリストの転送を要求する。
【００３０】
（手順３−２）外出先から帰宅（同一ネットワークに両機器が認識）
通信端末１の通信部１３が、ルータを介してホームネットワークに接続すると、同じホームネットワークに接続したコンテンツ処理装置２を検出する。通信端末１の記憶部１２が、コンテンツ処理装置２を登録していれば、通信端末１の通信部１３は、コンテンツ処理装置２に対して、自動的にキーワードリストを転送する。或いは、通信端末１の通信部１３は、コンテンツ処理装置２からのキーワードリストの転送要求を受信し、コンテンツ処理装置２に対して、自動的にキーワードリストを転送する（図２のキーワードリスト転送参照）。
【００３１】
（手順４）キーワードリストからキーワードを抽出
コンテンツ処理装置２のキーワードリスト受信解析部２３は、転送されたキーワードリストを受信し、キーワードリストからキーワードを抽出し、コンテンツ検索エンジン２４に入力する（図２のキーワード抽出、キーワード入力参照）。
【００３２】
（手順５−１）番組検索
コンテンツ処理装置２のコンテンツ検索エンジン２４は、ＥＰＧ情報から、キーワードに対応するコンテンツを検索し、検索結果を保持する。或いは、コンテンツ検索エンジン２４は、コンテンツ管理部２２により管理されたコンテンツ管理情報から、キーワードに対応するコンテンツを検索し、検索結果を保持する。例えば、コンテンツ検索エンジン２４は、キーワードを含むＥＰＧ情報に対応するコンテンツを検索する。或いは、コンテンツ検索エンジン２４は、コンテンツ管理部２２に対して、メタ情報取得要求を出して、メタ情報を取得し、キーワードを含むメタ情報に対応するコンテンツを検索する（図２の番組に付随するメタ情報取得要求、コンテンツ検索参照）。
【００３３】
（手順５−２）番組検索
コンテンツ処理装置２のコンテンツ検索エンジン２４は、キーワードを含むタグ情報が対応付けられたコンテンツを検索し、検索結果を保持する。例えば、コンテンツ検索エンジン２４は、タグリスト取得解析管理部２５に対して、タグリスト情報取得要求を出し、タグリスト取得解析管理部２５は、タグリストサーバ３に対して、タグリスト情報取得要求を出す。これに対応して、タグリスト取得解析管理部２５は、タグリストサーバ３からタグリスト情報を受信し、コンテンツ検索エンジン２４は、タグリスト情報から、キーワードを含むタグ情報を検索し、検索されたタグ情報が対応付けられたコンテンツを検索する（図２のタグリスト情報取得要求、コンテンツ検索参照）。
【００３４】
また、タグ情報以外に、キーワードを含むチャプタ情報（チャプタ名）を検索し、このチャプタ情報を有するコンテンツを検索するようにしてもよい。
【００３５】
（手順６）タグ/チャプタによる部分抽出
コンテンツ検索エンジン２４は、キーワードを含むタグ情報に対応する再生位置情報（区間情報）を保持する。又は、コンテンツ検索エンジン２４は、キーワードを含むチャプタ情報に対応する再生位置情報（区間情報）を保持する。つまり、コンテンツ検索エンジン２４は、キーワードを含むタグ情報に対応する一部コンテンツを抽出し、抽出結果をキーワードリスト受信解析部２３へ通知する（図２のパーツ抽出、持出変換コンテンツ抽出結果参照）。又は、コンテンツ検索エンジン２４は、キーワードを含むチャプタ情報に対応する一部コンテンツを抽出し、抽出結果をキーワードリスト受信解析部２３へ通知する。
【００３６】
（手順７）
持出変換部２６は、キーワードリスト受信解析部２３に対して、抽出結果を問い合わせ、抽出結果を受け取り（図３の持出変換コンテンツ抽出結果問い合わせ参照）、コンテンツ管理部２２から抽出された一部コンテンツのコンテンツ管理情報を取得する（図３のコンテンツ管理情報取得参照）。さらに、持出変換部２６は、抽出された一部コンテンツを、通信端末用に変換する（図３の持出変換参照）。持出変換部２６は、持出転送部２７に対して、抽出された一部コンテンツのメタ情報を転送し、さらに、抽出された一部コンテンツをストリーム転送する（図３の変換コンテンツのメタ情報転送、変換コンテンツのストリーム転送参照）。
【００３７】
（手順８）
持出転送部２７は、通信端末１に対して、一部コンテンツのメタ情報を転送し、さらに、抽出された一部コンテンツをストリーム転送する（図３のメタ情報転送、ストリーム転送参照）。
【００３８】
なお、通信端末１が、キーワードリストを記憶するケースについて説明したが、通信端末１が、外部サーバへキーワードリストを転送し、外部サーバがキーワードリストを登録し、さらに、この外部サーバが、キーワードリストをコンテンツ処理装置２へ転送するようにしてもよい。この場合、ユーザが帰宅するまでに、コンテンツ処理装置２は、変換されたコンテンツ又は変換された一部コンテンツの転送準備を完了することができる。従って、ユーザが帰宅し、通信端末１が、ホームネットワークに接続すると、直ぐに、変換されたコンテンツ又は変換された一部コンテンツのストリーム転送が可能となる。
【００３９】
また、指定時間帯に、コンテンツの変換処理、コンテンツの転送準備、コンテンツの転送を実行することもできる。例えば、深夜の時間帯（午前１：００−午前５：００）を処理時間として指定することにより、コンテンツ処理装置２は、この処理時間に、コンテンツの変換処理、コンテンツの転送準備、コンテンツの転送を実行する。
【００４０】
また、本システムでは、ユーザが通信端末１上に表示されたタグ情報の一部の情報を選択すると、通信端末１は、選択された情報を登録し、この選択された情報をコンテンツ処理装置２へ送信し、この選択された情報に対応するコンテンツを受信することもできる。
【００４１】
図４は、タグ情報に基づく一部コンテンツの持出、再生の一例を示す図である。例えば、通信端末１が、キーワードＣＣＣ及びキーワードＦＦＦを含むキーワードリストを送信すると、コンテンツ処理装置２が、このキーワードリストを受信する。コンテンツ処理装置２は、事前に又はキーワードリストを受信してから、タグリストサーバ３からタグリストを受信する。コンテンツ処理装置２は、タグリストから、キーワードＣＣＣ及びキーワードＦＦＦを検索する。例えば、コンテンツＡのタグリスト中に、キーワードＣＣＣ及びキーワードＦＦＦが含まれている場合、コンテンツ処理装置２は、コンテンツＡのタグリストを検出し、コンテンツＡのタグリスト中のタグ名ＣＣＣとタグ名ＦＦＦに対応する一部コンテンツを抽出し、抽出した一部コンテンツを通信端末１へ転送する。これにより、通信端末１は、タグ名ＣＣＣとタグ名ＦＦＦに対応する一部コンテンツを受信し、再生することができる。
【００４２】
以下、本実施形態についてまとめる。
【００４３】
（１）通信端末１は、相手機器であるコンテンツ処理装置２のMACアドレス等の機器固有情報を登録し、コンテンツ処理装置２は、相手機器である通信端末１のMACアドレス等の機器固有情報を登録する。通信端末１による相手機器の検出、又はコンテンツ処理装置２による相手機器の検出をトリガとして、キーワードの送受信及びコンテンツの送受信を実行する。
【００４４】
（２）コンテンツ処理装置２は、通信端末１からのキーワードを受信し、受信したキーワードを含むメタ情報を有するコンテンツを検索する。例えば、１キーワードから、複数コンテンツを検索することも可能となる。
【００４５】
（３）コンテンツ処理装置２は、通信端末１からのキーワードを受信し、受信したキーワードを含むタグ情報が対応付けられたコンテンツ又はタグ情報に対応する一部コンテンツを検索する。例えば、１キーワードから、複数コンテンツ又は複数の一部コンテンツを検索することも可能となる。
【００４６】
（４）コンテンツ処理装置２は、通信端末１からのキーワードを受信し、受信したキーワードを含むチャプタ情報を有するコンテンツ又はチャプタ情報に対応する一部コンテンツを検索する。例えば、１キーワードから、複数コンテンツ又は複数の一部コンテンツを検索することも可能となる。
【００４７】
（５）コンテンツ処理装置２は、検索したコンテンツ又は検索した一部コンテンツを持出コンテンツへ変換し、変換したコンテンツ又は変換した一部コンテンツを通信端末１へ転送する。
【００４８】
（６）通信端末１は、変換されたコンテンツ又は変換された一部コンテンツを受信し、再生する。通信端末１は、コンテンツ処理装置２が備えるチューナー等の装備がなくても、上記の通り、コンテンツ又は一部コンテンツを再生できる。
【００４９】
上記したように、コンテンツ処理装置２が通信端末１を登録し、コンテンツ処理装置２が通信端末１からのキーワードを受信すると、通信端末１に対して、キーワードに対応するコンテンツ又は一部コンテンツを転送する。ユーザは、複雑な操作無しで、通信端末１上で、気になったキーワードに対応するコンテンツ又は一部コンテンツを視聴することができる。
【００５０】
また、上記したように、コンテンツ処理装置２は、キーワードに対応する一部コンテンツを変換し転送することができるので、コンテンツの変換処理及び転送処理の処理効率の向上を図ることができる。通信端末１は、一部コンテンツを受信すればよいので、メモリ消費を低減することができる。また、ユーザは、キーワードに対応する一部コンテンツだけを視聴することができるので、目的のコンテンツをピンポイントに視聴でき、便利である。
【００５１】
また、上記説明では、コンテンツ処理装置２が、キーワード及びタグ情報からコンテンツ又は一部コンテンツを検索する検索処理（以下、キーワード検索処理）を実行するケースについて説明したが、外部サーバがキーワード検索処理を実行するようにしてもよい。この外部サーバは、タグリストサーバ３であってもよいし、タグリストサーバ３とは別のサーバであってもよい。以下、一例として、タグリストサーバ３が、検索処理を実行するケースについて説明する。
【００５２】
例えば、タグリストサーバ３は、通信端末１のMACアドレス（機器固有情報）を登録し、また、コンテンツ処理装置２のMACアドレス（機器固有情報）も登録し、通信端末１とコンテンツ処理装置２とを対応付けて管理する。また、通信端末１は、タグリストサーバ３を登録し、コンテンツ処理装置２もタグリストサーバ３を登録する。
【００５３】
上記説明したように、通信端末１の制御部１１は、キーワード登録アプリケーションを起動し、キーワード登録アプリケーションは、指定されたキーワードを記憶部１２へ登録する。さらに、通信端末１の通信部１３は、登録されたキーワードをタグリストサーバ３へ送信する。例えば、通信端末１の通信部１３は、キーワードの登録に対応して、キーワードをタグリストサーバ３へ送信する。つまり、通信端末１のユーザが、コンテンツ処理装置２が設置された自宅へ帰宅する前に、通信端末１の通信部１３は、登録されたキーワードをタグリストサーバ３へ送信する。
【００５４】
タグリストサーバ３は、上記説明したように複数のタグリストを管理し、通信端末１からのキーワードを受信し、管理している複数のタグリストの中から、受信したキーワードを含むタグ情報を検索し、検索されたタグ情報を含むタグリストに対応するコンテンツを検索し、検索したコンテンツのＩＤをコンテンツ処理装置２へ送信する。或いは、タグリストサーバ３は、管理している複数のタグリストの中から、受信したキーワードを含むタグ情報を検索し、検索されたタグ情報を含むタグリストに対応するコンテンツを検索し、検索したコンテンツのＩＤとタグ情報に対応する一部コンテンツの再生位置情報をコンテンツ処理装置２へ送信する。
【００５５】
コンテンツ処理装置２は、タグリストサーバ３から送信されるコンテンツのＩＤを受信し、コンテンツ検索エンジン２４は、受信したコンテンツのＩＤに基づきコンテンツを検索する検索処理（以下、ＩＤ検索処理）を実行する。或いは、コンテンツ処理装置２は、タグリストサーバ３から送信されるコンテンツのＩＤと一部コンテンツの再生位置情報を受信し、コンテンツ検索エンジン２４は、受信したコンテンツのＩＤと一部コンテンツの再生位置情報に基づき一部コンテンツを検索する検索処理（以下、ＩＤ検索処理）を実行する。キーワードの検索対象に比べてＩＤの検索対象は限定的であり、ＩＤのマッチングによりコンテンツを検索することができるので、ＩＤ検索処理の負荷は、上記したキーワード検索処理の負荷よりも軽い。
【００５６】
持出変換部２６は、検索されたコンテンツ又は一部コンテンツを通信端末用に変換し、持出転送部２７に対して、検索されたコンテンツ又は一部コンテンツのメタ情報を転送し、さらに、検索されたコンテンツ又は一部コンテンツをストリーム転送する。持出転送部２７は、通信端末１からの転送要求を待つ。
【００５７】
通信端末１を所持するユーザが、コンテンツ処理装置２が設置された自宅へ帰宅し、通信端末１とコンテンツ処理装置２とが相互に認証すると、通信端末１は、コンテンツ処理装置２に対してコンテンツの転送を要求する。コンテンツ処理装置２の持出転送部２７は、通信端末１に対して、準備されたコンテンツ又は一部コンテンツのメタ情報を転送し、さらに、準備されたコンテンツ又は一部コンテンツをストリーム転送する。
【００５８】
通信端末１は、コンテンツ又は一部コンテンツのメタ情報を受信し、さらに、コンテンツ又は一部コンテンツをストリームを受信し再生することができる。
【００５９】
上記したように、タグリストサーバ３が、比較的処理負荷の重いキーワード検索処理を担うことにより、コンテンツ処理装置２の処理負荷を軽減することができる。また、ユーザがコンテンツ処理装置２が設置された自宅へ帰宅するまでに、コンテンツの転送準備を完了し易くなるので、ユーザは帰宅次第、直ぐに転送されるコンテンツを通信端末１で再生を楽しむことができる。
【００６０】
また、本実施形態のコンテンツ処理システムは、公衆WiFi等のネットワーク環境を利用するので、国内外問わず利用可能である。また、公衆ネットワーク環境を利用することにより、共有データ(タグ情報)を利用することも可能であり、双方向性という点で汎用性が高い。
【００６１】
本実施形態によれば、コンテンツを持ち出す際の自動化、効率化、汎用性の向上を図ることができる。
【００６２】
なお、上記の処理の手順は全てソフトウェア（コンテンツ処理プログラム）によって実行することが可能である。このため、処理手順を実行するプログラムを格納したコンピュータ読み取り可能な記憶媒体を通じてこのプログラムを通信端末１、コンテンツ処理装置２、及びタグリストサーバ３へインストールして実行するだけで、上記処理を実現することができる。
【００６３】
例えば、通信端末１は、コンピュータ読み取り可能な記憶媒体から上記プログラムを読み取り、読み取ったプログラムを記憶し、プログラムのインストールを完了することができる。或いは、通信端末１が、上記プログラムをダウンロードし、ダウンロードしたプログラムを記憶し、プログラムのインストールを完了することができる。
【００６４】
同様に、コンテンツ処理装置２は、コンピュータ読み取り可能な記憶媒体から上記プログラムを読み取り、読み取ったプログラムを記憶し、プログラムのインストールを完了することができる。或いは、通信端末１が、上記プログラムをダウンロードし、ダウンロードしたプログラムを記憶し、プログラムのインストールを完了することができる。
【００６５】
同様に、タグリストサーバ３は、コンピュータ読み取り可能な記憶媒体から上記プログラムを読み取り、読み取ったプログラムを記憶し、プログラムのインストールを完了することができる。或いは、タグリストサーバ３が、上記プログラムをダウンロードし、ダウンロードしたプログラムを記憶し、プログラムのインストールを完了することができる。
【００６６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６７】
１…通信端末、２…コンテンツ処理装置、３…タグリストサーバ、１１…制御部、１２…記憶部、１３…通信部、１４…表示部、１５…入力部、１６…情報処理部、２１…タイムシフトマシン記録部、２２…コンテンツ管理部、２３…キーワードリスト受信解析部、２４…コンテンツ検索エンジン、２５…タグリスト収集解析管理部、２６…持出変換部、２７…持出転送部
【図１】
2014017599.tif 000003
【図２】
2014017599.tif 000004
【図３】
2014017599.tif 000005
【図４】
2014017599.tif 000006
【図５】
2014017599.tif 000007